(57)【要約】【課題】ユーザの感情状態だけでなく、ユーザを取り巻く環境に応じて、自動撮影を行うことができる撮影履歴記録システムを提供する。【解決手段】撮影履歴記録システムでは、更新時間になると（Ｓ２：ＹＥＳ）、ユーザの生体情報、および環境情報が取得される（Ｓ３〜Ｓ７）。取得された情報と、過去の撮影時に取得された情報とに基づき、現在のユーザの状況が、撮影を要求する状況であるか否かが判断される（Ｓ８）。判断結果が撮影を要求するという結果である場合（Ｓ９：ＹＥＳ）、自動撮影が行われ（Ｓ１０）、撮影時のユーザの生体情報、および環境情報が記憶される（Ｓ１１）。【選択図】図１５
2010068499.tif 000002
【特許請求の範囲】
【請求項１】
被写体を自動または手動で撮影する撮影手段と、
１以上の項目からなるユーザの生体情報を取得する生体情報取得手段と、
１以上の項目からなる前記ユーザの周辺環境に関する情報である環境情報を取得する環境情報取得手段と、
前記生体情報取得手段によって取得された前記生体情報、及び、前記環境情報取得手段によって取得された前記環境情報を含むユーザ情報を、前記撮影手段による撮影が行われる毎に、撮影情報として記憶する撮影情報記憶手段と、
前記撮影情報記憶手段に記憶された過去の前記撮影情報と、現在のユーザ情報との比較結果に基づいて、前記撮影手段による自動撮影を行うか否かを判断する撮影判断手段と
を備えたことを特徴とする撮影履歴記録システム。
【請求項２】
前記撮影情報記憶手段に記憶された過去の前記撮影情報を反映させた情報である比較情報を作成する比較情報作成手段を備え、
前記撮影判断手段は、
前記比較情報作成手段によって作成された前記比較情報と、現在のユーザ情報との比較結果に基づいて、前記撮影手段による自動撮影を行うか否かを判断することを特徴とする請求項１に記載の撮影履歴記録システム。
【請求項３】
前記比較情報を構成する項目ごとに、現在のユーザ情報の項目値と、前記比較情報の項目値とを比較して得られる比較値を算出する比較値算出手段と、
前記比較値算出手段により算出された前記比較値に基づいて、現在のユーザ情報と、前記比較情報との一致率を算出する一致率算出手段と
を備え、
前記撮影判断手段は、
前記一致率が所定値以上であれば、前記撮影手段による自動撮影を行うと判断することを特徴とする請求項２に記載の撮影履歴記録システム。
【請求項４】
前記比較情報作成手段は、前記比較情報を構成する項目値を、前記撮影情報記憶手段に記憶された前記撮影情報を構成する項目において最も頻出した値とすることを特徴とする請求項２に記載の撮影履歴記録システム。
【請求項５】
前記撮影判断手段は、前記撮影情報記憶手段に記憶された過去の前記撮影情報の中に、現在のユーザ情報を構成する項目と同一の項目について同じ値がある場合には、前記撮影手段による自動撮影を行うと判断することを特徴とする請求項１に記載の撮影履歴記録システム。
【請求項６】
前記撮影情報には、前記撮影手段による撮影動作が自動であったか手動であったかを示す項目と、前記撮影手段によって撮影された画像データが利用されたか否かを示す項目との少なくともいずれか一方が含まれ、
前記撮影判断手段は、
前記撮影情報記憶手段に記憶された過去の前記撮影情報のうち、前記撮影動作が手動であったことを示す項目値を有する前記撮影情報の中、もしくは前記画像データが利用されたことを示す項目値を有する前記撮影情報の中に、現在のユーザ情報を構成する少なくとも１つの項目と同一の項目において同じ値がある場合には、前記撮影手段による自動撮影を行うと判断することを特徴とする請求項５に記載の撮影履歴記録システム。
【請求項７】
前記撮影判断手段は、前記撮影情報記憶手段に記憶された過去の前記撮影情報の中に、現在のユーザ情報の全ての項目値に対し、対応する全ての項目値が一致する前記撮影情報がある場合には、前記撮影手段による自動撮影を行うと判断することを特徴とする請求項１に記載の撮影履歴記録システム。
【請求項８】
前記撮影情報には、前記撮影手段による撮影動作が自動であったか手動であったかを示す項目と前記撮影手段によって撮影された画像データが利用されたか否かを示す項目との少なくともいずれか一方が含まれ、
前記撮影判断手段は、
前記撮影情報記憶手段に記憶された過去の前記撮影情報のうち、前記撮影動作が手動であったことを示す項目値を有する前記撮影情報の中、もしくは前記画像データが利用されたことを示す項目値を有する前記撮影情報の中に、現在のユーザ情報の全ての項目値に対し、対応する全ての項目値が一致する前記撮影情報がある場合には、前記撮影手段による自動撮影を行うと判断することを特徴とする請求項７に記載の撮影履歴記録システム。
【発明の詳細な説明】
【技術分野】
【０００１】
本発明は、ユーザの撮影履歴を自動的に記録する撮影履歴記憶システムに関する。
【背景技術】
【０００２】
従来、ユーザの日常生活の行動の全般を記録し、データベース化するための試みが多く行われている。そのために、ユーザの行動履歴を記録し、保存する装置や方法等が多く提案されている。例えば、ユーザに装着されて、所定の条件下で、自動的に撮影が行われる画像記録装置が提案されている（例えば、特許文献１参照）。この画像記録装置は、撮影部と、ユーザの生体情報値を検出する生体情報検出部と、検出された生体情報値に基づきユーザの感情状態を判定する感情状態判定部と、判定された感情状態に基づき、撮影部に自動撮影を行わせる撮影制御部とを備えている。この画像記録装置によれば、ユーザの感情状態に応じて、撮影部による自動撮影を行い、撮影データを記録できる。これにより、感情の起伏を伴うユーザの行動を自動的に記録し、データベース化することができる。
【特許文献１】特開２００６−２２７２３６号公報
【発明の開示】
【発明が解決しようとする課題】
【０００３】
しかしながら、特許文献１に記載の画像記録装置では、感情状態が所定の状態に至った場合に撮影が行われるため、感情の起伏がない場合には、撮影は行われない。よって、例えば、植物の観察記録などのような、感情の起伏を伴わない習慣的な行動については、自動撮影が行われないという問題があった。
【０００４】
本発明は上記問題を解決するためになされたものであり、ユーザの感情状態だけでなく、ユーザを取り巻く環境に応じて、自動撮影を行うことができる撮影履歴記録システムを提供することを目的とする。
【課題を解決するための手段】
【０００５】
上記目的を達成するために、本発明の請求項１に記載の撮影履歴記録システムでは、被写体を自動または手動で撮影する撮影手段と、１以上の項目からなるユーザの生体情報を取得する生体情報取得手段と、１以上の項目からなる前記ユーザの周辺環境に関する情報である環境情報を取得する環境情報取得手段と、前記生体情報取得手段によって取得された前記生体情報、及び、前記環境情報取得手段によって取得された前記環境情報を含むユーザ情報を、前記撮影手段による撮影が行われる毎に、撮影情報として記憶する撮影情報記憶手段と、前記撮影情報記憶手段に記憶された過去の前記撮影情報と、現在のユーザ情報との比較結果に基づいて、前記撮影手段による自動撮影を行うか否かを判断する撮影判断手段とを備えている。
【０００６】
また、本発明の請求項２に記載の撮影履歴記録システムでは、請求項１に記載の発明の構成に加え、前記撮影情報記憶手段に記憶された過去の前記撮影情報を反映させた情報である比較情報を作成する比較情報作成手段を備え、前記撮影判断手段は、前記比較情報作成手段によって作成された前記比較情報と、現在のユーザ情報との比較結果に基づいて、前記撮影手段による自動撮影を行うか否かを判断することを特徴とする。
【０００７】
また、本発明の請求項３に記載の撮影履歴記録システムでは、請求項２に記載の発明の構成に加え、前記比較情報を構成する項目ごとに、現在のユーザ情報の項目値と、前記比較情報の項目値とを比較して得られる比較値を算出する比較値算出手段と、前記比較値算出手段により算出された前記比較値に基づいて、現在のユーザ情報と、前記比較情報との一致率を算出する一致率算出手段とを備え、前記撮影判断手段は、前記一致率が所定値以上であれば、前記撮影手段による自動撮影を行うと判断することを特徴とする。
【０００８】
また、本発明の請求項４に記載の撮影履歴記録システムでは、請求項２に記載の発明の構成に加え、前記比較情報作成手段は、前記比較情報を構成する項目値を、前記撮影情報記憶手段に記憶された前記撮影情報を構成する項目において最も頻出した値とすることを特徴とする。
【０００９】
また、本発明の請求項５に記載の撮影履歴記録システムでは、請求項１に記載の発明の構成に加え、前記撮影判断手段は、前記撮影情報記憶手段に記憶された過去の前記撮影情報の中に、現在のユーザ情報を構成する項目と同一の項目について同じ値がある場合には、前記撮影手段による自動撮影を行うと判断することを特徴とする。
【００１０】
また、本発明の請求項６に記載の撮影履歴記録システムでは、請求項５に記載の発明の構成に加え、前記撮影情報には、前記撮影手段による撮影動作が自動であったか手動であったかを示す項目と、前記撮影手段によって撮影された画像データが利用されたか否かを示す項目との少なくともいずれか一方が含まれ、前記撮影判断手段は、前記撮影情報記憶手段に記憶された過去の前記撮影情報のうち、前記撮影動作が手動であったことを示す項目値を有する前記撮影情報の中、もしくは前記画像データが利用されたことを示す項目値を有する前記撮影情報の中に、現在のユーザ情報を構成する少なくとも１つの項目と同一の項目において同じ値がある場合には、前記撮影手段による自動撮影を行うと判断することを特徴とする。
【００１１】
また、本発明の請求項７に記載の撮影履歴記録システムでは、請求項１に記載の発明の構成に加え、前記撮影判断手段は、前記撮影情報記憶手段に記憶された過去の前記撮影情報の中に、現在のユーザ情報の全ての項目値に対し、対応する全ての項目値が一致する前記撮影情報がある場合には、前記撮影手段による自動撮影を行うと判断することを特徴とする。
【００１２】
また、本発明の請求項８に記載の撮影履歴記録システムでは、請求項７に記載の発明の構成に加え、前記撮影情報には、前記撮影手段による撮影動作が自動であったか手動であったかを示す項目と前記撮影手段によって撮影された画像データが利用されたか否かを示す項目との少なくともいずれか一方が含まれ、前記撮影判断手段は、前記撮影情報記憶手段に記憶された過去の前記撮影情報のうち、前記撮影動作が手動であったことを示す項目値を有する前記撮影情報の中、もしくは前記画像データが利用されたことを示す項目値を有する前記撮影情報の中に、現在のユーザ情報の全ての項目値に対し、対応する全ての項目値が一致する前記撮影情報がある場合には、前記撮影手段による自動撮影を行うと判断することを特徴とする。
【発明の効果】
【００１３】
本発明の請求項１に記載の撮影履歴記録システムでは、ユーザの生体情報が、生体情報取得手段によって取得され、ユーザの周辺環境に関する情報である環境情報が、環境情報取得手段によって取得される。そして、生体情報と環境情報とを含むユーザ情報が、撮影が行われる毎に、撮影情報記憶手段によって、撮影情報として記憶される。そして、撮影判断手段によって、過去の撮影情報と現在のユーザ情報とが比較され、比較結果から、撮影手段による自動撮影を行うか否かが判断される。よって、自動撮影を行うか否かの判断は、ユーザの生体情報、およびユーザの環境情報に基づいて行われる。これにより、ユーザの感情状態だけでなく、ユーザを取り巻く環境に応じて自動撮影を行うことができる。
【００１４】
また、本発明の請求項２に記載の撮影履歴記録システムでは、請求項１に記載の発明の効果に加え、比較情報作成手段が、過去の撮影情報を反映させた情報である比較情報を作成する。そして、撮影判断手段が、現在のユーザ情報と、比較情報作成手段によって作成された比較情報との比較結果に基づいて、撮影手段による自動撮影を行うか否かを判断する。比較情報作成手段が作成した比較情報と、現在のユーザの状態とを比較して、ユーザの撮影に対する欲求が生じる状況で自動撮影を行うことができる。
【００１５】
また、本発明の請求項３に記載の撮影履歴記録システムでは、請求項２に記載の発明の効果に加え、比較値算出手段が前記比較情報を構成する各項目ごとに、現在のユーザ情報の各項目値と、比較情報の各項目値とを比較して得られる比較値を算出する。また、比較値算出手段により算出された比較値に基づいて、一致率算出手段が、現在のユーザ情報と比較情報との一致率を算出する。そして、一致率が所定値以上である場合に、前記撮影手段による自動撮影を行うと判断する。これにより、比較情報と、現在のユーザ情報とを比較して、その一致率が所定値以上である場合に自動撮影が行われる。比較情報をユーザの撮影に対する欲求が生じる状況に対応する情報とした場合、ユーザの撮影に対する欲求が生じる状況に近い状況で、自動撮影を行うことができる。
【００１６】
また、本発明の請求項４に記載の撮影履歴記録システムでは、請求項２に記載の発明の効果に加え、比較情報を構成する項目値は、撮影情報を構成する項目において最も頻出した値となる。そのため、ユーザが過去に最も多く撮影動作を行った状況を、比較情報の項目値として反映させることができる。これにより、ユーザが過去に最も多く撮影動作を行った状況に近い状況で、自動撮影を行うことができる。
【００１７】
また、本発明の請求項５に記載の撮影履歴記録システムでは、請求項１に記載の発明の効果に加え、過去の撮影情報の中に、現在のユーザ情報を構成する少なくとも１つの項目と同一の項目について同じ値がある場合には、自動撮影が行われる。これにより、ユーザが過去に撮影動作を行った状況に近い状況であれば自動撮影を行う、取りこぼしの少ない撮影履歴記録システムを提供することができる。
【００１８】
また、本発明の請求項６に記載の撮影履歴記録システムでは、請求項５に記載の発明の効果に加え、撮影動作が手動であったことを示す項目を有する撮影情報の中、もしくは画像データが利用されたことを示す項目を有する撮影情報の中に、現在のユーザ情報を構成する少なくとも１つの項目と同一の項目において同じ値がある場合には、自動撮影がなされる。撮影動作が手動であるとき、その撮影動作はユーザが能動的に行ったものであり、その状況でのユーザの撮影に対する欲求は高かったといえる。また、画像データが利用されたものであるとき、その画像データが撮影された状況は、ユーザにとって興味深い状況であったといえる。これにより、ユーザの撮影に対する欲求が生じる状況に近い状況で自動撮影を行うことができる。
【００１９】
また、本発明の請求項７に記載の撮影履歴記録システムでは、請求項１に記載の発明の効果に加え、過去の撮影情報の中に、現在のユーザ情報の全ての項目値に対し、対応する全ての項目値が一致する撮影情報がある場合には、自動撮影が行われる。これにより、ユーザが過去に撮影動作を行った状況と同じ状況であれば、自動撮影を行う撮影履歴記録システムを提供することができる。
【００２０】
また、本発明の請求項８に記載の撮影履歴記録システムでは、請求項７に記載の発明の効果に加え、撮影動作が手動であったことを示す項目を有する撮影情報の中、もしくは撮影情報が利用されたことを示す項目を有する撮影情報の中に、現在のユーザ情報の全ての項目値に対し、対応する全ての項目値が一致する撮影情報がある場合には、自動撮影がなされる。撮影動作が手動であるとき、その撮影動作はユーザが能動的に行ったものであり、その状況でのユーザの撮影に対する欲求は高かったといえる。また、画像データが利用されたものであるとき、その画像データが撮影された状況は、ユーザにとって興味深い状況であったといえる。これにより、ユーザの撮影に対する欲求が生じる状況に近い状況で自動撮影を行うことができる。
【発明を実施するための最良の形態】
【００２１】
以下、本発明の第１実施形態である撮影履歴記録システムについて、図面を参照して説明する。図１は、撮影履歴記録システムの構成を示す概念図である。図２は、センサ装置１の電気的構成を示すブロック図である。図３は、撮影記録装置２の電気的構成を示すブロック図である。図４は、撮影履歴情報データベース３００の概念図である。図５は、太陽高度データベース２５０の概念図である。
【００２２】
はじめに、撮影履歴記録システムの概要について説明する。図１に示すように、撮影履歴記録システムは、ユーザの手首に装着され、ユーザの心拍数や、周囲の照度を計測するセンサ装置１と、そのセンサ装置１から出力されるセンサ値に基づいて自動撮影を行う携帯型の撮影記録装置２とから構成されている。センサ装置１は、心拍センサ及び照度センサを備え、これらのセンサ値は撮影記録装置２に送信される。撮影記録装置２では、撮影動作ごとに、センサ装置１から送信されたセンサ値を元に、ユーザの生体情報と環境情報とを反映させたユーザ情報が作成される。その作成されたユーザ情報は、撮影情報として随時記憶される。
【００２３】
そして、現在のユーザ情報と、蓄積された過去の撮影情報とが比較され、現在のユーザの状況が、撮影を欲求する可能性が高い状況であるか否かが判断される。撮影を欲求する可能性が高い状況であると判断されれば、自動撮影が行われる。これにより、撮影記録装置２を携帯しているユーザの感情と、その周囲の状況とに応じて自動撮影を行うことができる。なお、本実施形態において、ユーザの生体情報とはユーザの心拍数に関する情報である。また、ユーザの環境情報とは、ユーザの位置する場所と、日時と、天候に関する情報である。
【００２４】
次に、センサ装置１の電気的構成について説明する。図２に示すように、センサ装置１は、センサ装置１の制御を司るＣＰＵ１０と、ＲＯＭ１１と、ＲＡＭ１２と、ＳＤＲＡＭ１３と、時間を計測するリアルタイムクロック（ＲＴＣ）４０と、インタフェイス（Ｉ／Ｆ）回路１４Ａ、１４Ｂ、１４Ｃとが、バスを介して相互に接続されている。Ｉ／Ｆ回路１４Ａには、撮影記録装置２とデータの送受信を行うための送受信回路１６が接続されている。Ｉ／Ｆ回路１４Ｂには、センサ回路１７が接続され、そのセンサ回路１７には、周囲の照度を検出する照度センサ１９が接続されている。Ｉ／Ｆ回路１４Ｃには、センサ回路１５が接続され、そのセンサ回路１５には、心拍数を計測する心拍センサ１８が接続されている。ＲＡＭ１２には、照度センサ１９及び心拍センサ１８の各検出値が、後述するセンサ情報１１０（図７参照）として記憶される。
【００２５】
次に、撮影記録装置２の電気的構成について説明する。図３に示すように、撮影記録装置２は、撮影記録装置２の制御を司るＣＰＵ２０と、ＲＯＭ２１と、ＲＡＭ２２と、ハードディスク（ＨＤ）２３と、時間を計測するリアルタイムクロック（ＲＴＣ）３０と、インタフェイス（Ｉ／Ｆ）回路２４Ａ、２４Ｂ、２４Ｃ、２４Ｄ、２４Ｅとが、バスを介して相互に接続されている。Ｉ／Ｆ回路２４Ａには、撮影回路２５が接続され、その撮影回路２５にはカメラ２０１が接続されている。Ｉ／Ｆ回路２４Ｂには、ユーザの現在位置を検出するための位置情報検出装置２７が接続されている。位置情報検出装置２７は、地球の周囲を周回するＧＰＳ衛星（図示省略）からの電波を受信して、ＣＰＵ２０から要求があると、ＧＰＳ衛星から提供される信号に基づいて、ユーザの位置情報（緯度、経度、高度）を取得する。
【００２６】
Ｉ／Ｆ回路２４Ｃには、センサ装置１および印刷装置６０とデータの送受信をそれぞれ行うための送受信回路２６が接続されている。Ｉ／Ｆ回路２４Ｄには、ＬＣＤ回路２８が接続され、そのＬＣＤ回路２８には、カメラ２０１により撮影した画像が表示されるＬＣＤ５０が接続されている。Ｉ／Ｆ回路２４Ｅには、操作部２９が接続されている。ユーザは、操作部２９を操作することによって、ＬＣＤ５０に表示された画像のうちの任意の画像を選択することができる。
【００２７】
次に、ＲＯＭ２１の記憶内容について説明する。ＲＯＭ２１には、現在のユーザの状況が自動撮影を行うべき状況であるか否かを判断するための撮影判断プログラムのほか、センサ装置１から送信された照度センサ１９の計測値を、「晴」「雨」「曇」の天候に関する天候情報に変換するための天候変換プログラム等の各種プログラムが記憶されている。
【００２８】
次に、ＨＤ２３の記憶内容について説明する。ＨＤ２３には、カメラ２０１による撮影毎に得られたユーザ情報と画像データとが時系列で記録された後述する撮影履歴情報データベース３００（図４参照）や、任意の各地点における日時と太陽の高度との関係を示した後述する太陽高度データベース２５０（図５参照）等が記憶されている。
【００２９】
次に、撮影履歴情報データベース３００について、図４を参照して説明する。撮影履歴情報データベース３００は、７つの項目を備えている。具体的には、撮影時のユーザの「場所」に関する情報を記憶する項目と、撮影時の「月」に関する情報を記憶する項目と、撮影時の「時刻」に関する情報を記憶する項目と、撮影時の「天候」に関する情報を記憶する項目と、撮影時のユーザの「心拍数」に関する情報を記憶する項目と、カメラ２０１による撮影がユーザの操作による手動撮影かセンサ値等に基づく自動撮影かを示す「撮影動作」に関する情報を記憶する項目と、カメラ２０１によって撮影された「画像データ」を記憶する項目とを備えている。撮影動作が行われる毎に、各項目には、「場所」に関する情報と、「月」に関する情報と、「時刻」に関する情報と、「天候」に関する情報と、「心拍数」に関する情報と、「撮影動作」に関する情報と、画像データとが記憶される。なお、以下の説明においては、撮影毎に記憶される上記項目からなる情報を「撮影情報」として定義する。
【００３０】
次に、太陽高度データベース２５０について、図５を参照して説明する。太陽高度データベース２５０には、複数の地点における日時と太陽の高度との関係が複数の地点毎に記憶されている。例えば、図５に示す太陽高度データベース２５０には、ユーザが東経１３４．７°、北緯３６．２°の地点にいる場合の日時と太陽の高度との関係が示されている。なお、この太陽高度データベース２５０は、撮影記録装置２のＣＰＵ２０が、センサ装置１で検出された照度からその地点の天候を推測する際に利用されるものである。
【００３１】
次に、太陽高度データベース２５０を利用して、照度から天候を推測する方法について説明する。本実施例では、検出された照度から「晴」「曇」「雨」の天候を推測する方法について説明する。まず、太陽高度データベース２５０、位置情報検出装置２７により検出されるユーザの位置、およびＲＴＣ３０により計測される時刻を元に、天候が「晴」「曇」「雨」である場合の照度の理論値が求められる。理論値は、下記のように求められる。なお、Ｃ１：「晴」の場合の理論値、Ｃ２：「曇」の場合の理論値、Ｃ３：「雨」の場合の理論値、θ：現在の太陽の高度、γ：その日の１２時の太陽高度とする。
・Ｃ１＝１×{（１×１０５（ｌｘ））×ｓｉｎθ／ｓｉｎγ}
・Ｃ２＝０．５×{（１×１０５（ｌｘ））×ｓｉｎθ／ｓｉｎγ}
・Ｃ３＝０．２×{（１×１０５（ｌｘ））×ｓｉｎθ／ｓｉｎγ}
【００３２】
上述の式より、東経１３４．７°、北緯３６．２°、６月２３日、１０：００の照度値の理論値Ｃ１〜Ｃ３は、
・Ｃ１＝１×{（１×１０５（ｌｘ））×ｓｉｎ６０°／ｓｉｎ７８°}＝８８５３７（ｌｘ）
・Ｃ２＝０．５×{（１×１０５（ｌｘ））×ｓｉｎ６０°／ｓｉｎ７８°}＝４４２６９（ｌｘ）
・Ｃ３＝０．２×{（１×１０５（ｌｘ））×ｓｉｎ６０°／ｓｉｎ７８°}＝１７７０７（ｌｘ）
となる。
【００３３】
次いで、照度センサ１９により得られたセンサ値と、理論値との差を求め、差が最も小さい天候を、天候情報とする。例えば、照度センサ１９により得られた値が、７７０００（ｌｘ）であったとする。この場合の差は、下記のようにあらわされる。なお、Ｗ：センサ値、Ａ１：「晴」の場合の理論値Ｃ１とセンサ値Ｗとの差、Ａ２：「曇」の場合の理論値Ｃ２とセンサ値Ｗとの差、Ａ３：「雨」の場合の理論値Ｃ３とセンサ値Ｗとの差とする。
・「晴」の場合：Ａ１＝Ｃ１−Ｗ
＝｜（８８５３７（ｌｘ））−（７７０００（ｌｘ））｜＝１１５３７
・「曇」の場合：Ａ２＝Ｃ２−Ｗ
＝｜（４４２６９（ｌｘ））−（７７０００（ｌｘ））｜＝３２７３１
・「雨」の場合：Ａ３＝Ｃ３−Ｗ
＝｜（１７７０７（ｌｘ））−（７７０００（ｌｘ））｜＝５９２９３
となる。この場合には、Ａ１＜Ａ２＜Ａ３なので、天候情報は「晴」と推測することができる。
【００３４】
次に、ＲＡＭ２２について、図６を参照して説明する。図６は、ＲＡＭ２２の記憶エリアを示す概念図である。ＲＡＭ２２には、センサ情報記憶エリア２２１と、ユーザ情報記憶エリア２２２と、比較情報記憶エリア２２３と、抽出情報記憶エリア２２４と、撮影フラグ記憶エリア２２５と、その他の情報記憶エリア２２６とが設けられている。
【００３５】
センサ情報記憶エリア２２１には、図７に示すセンサ情報１１０が記憶される。ユーザ情報記憶エリア２２２には、図８に示すユーザ情報２１０が記憶される。比較情報記憶エリア２２３には、図９に示す比較情報２２０が記憶される。抽出情報記憶エリア２２４には、図１０〜図１３に示す抽出情報２３０が記憶される。撮影フラグ記憶エリア２２５には、ＣＰＵ２０による後述する撮影判断処理において、カメラ２０１による撮影を行うか否かの結果が記憶される。
【００３６】
以下、各記憶エリアに記憶される情報について説明する。はじめに、センサ情報記憶エリア２２１に記憶されるセンサ情報１１０について、図７を参照して説明する。図７は、センサ情報１１０の概念図である。センサ情報１１０は、「照度」に関する情報である照度センサ値と、「心拍数」に関する情報である心拍センサ値とを備える。センサ装置１の心拍センサ１８及び照度センサ１９が検出した各センサ値は、センサ情報１１０として、センサ装置１のＲＡＭ１２に、一旦記憶される。ＲＡＭ１２に記憶されたセンサ情報１１０は、所定時間毎、または、ユーザにより手動撮影が行われる毎に、センサ装置１から撮影記録装置２に送信され、撮影記録装置２のＲＡＭ２２に設けられたセンサ情報記憶エリア２２１に記憶される。
【００３７】
次に、ユーザ情報２１０について、図８を参照して説明する。図８は、ユーザ情報２１０の概念図である。ユーザ情報２１０は所定時間毎、または、ユーザにより手動撮影が行われる毎に作成され、ＲＡＭ２２のユーザ情報記憶エリア２２２に記憶される。ユーザ情報２１０は、「場所」に関する情報を記憶する項目と、「月」に関する情報を記憶する項目と、「時刻」に関する情報を記憶する項目と、「天候」に関する情報を記憶する項目と、「心拍数」に関する情報を記憶する項目とを備えている。各項目の項目値は、センサ装置１から送信されたセンサ情報１１０と、位置情報検出装置２７によって検出された位置情報と、ＲＴＣ３０によって計測された日時とに基づいて、各々決定される。例えば、ユーザ情報２１０の「場所」、「月」、「時刻」、「天候」、「心拍数」の各項目には、「Ａ」、「５月」、「１１：００」、「晴」、「６５」の各項目値が各々記憶される。このユーザ情報２１０は、後述する撮影判断処理において、カメラ２０１による自動撮影を行うか否かを判断するために使用される。
【００３８】
次に、比較情報２２０について、図９を参照して説明する。図９は、比較情報２２０の概念図である。比較情報２２０は、現在のユーザの状況が撮影を要求する状況か否かが判断される際に、ユーザ情報２１０と比較されるものである。比較情報２２０は、「場所」に関する情報を記憶する項目と、「月」に関する情報を記憶する項目と、「時刻」に関する情報を記憶する項目と、「天候」に関する情報を記憶する項目とを備えている。
【００３９】
次に、抽出情報２３０について、図１０〜１３を参照して説明する。図１０〜１３は、ＲＡＭ２２の抽出情報記憶エリア２２４に記憶された抽出情報２３０の概念図である。抽出情報２３０は、比較情報２２０が作成される際に利用されるものである。抽出情報２３０は、「場所」に関する情報を記憶する項目と、「月」に関する情報を記憶する項目と、「時刻」に関する情報を記憶する項目と、「天候」に関する情報を記憶する項目と、「心拍数」に関する情報を記憶する項目と、「撮影動作」に関する情報を記憶する項目とを備えている。抽出情報２３０は、上述した撮影履歴情報データベース３００の撮影情報から、予め設定された各条件に基づいて抽出され、抽出情報記憶エリア２２４に記憶される。
【００４０】
抽出情報２３０について、具体的に説明する。図１０に示す抽出情報２３０は、撮影履歴情報データベース３００（図４参照）の撮影情報から、「場所」の項目値が「Ａ」の撮影情報が抽出されたものである。図１１に示す抽出情報２３０は、図１０に示す抽出情報２３０の中から、「撮影動作」の項目値が「手動」の抽出情報がさらに抽出されたものである。また、図１２に示す抽出情報２３０は、図１１に示す抽出情報２３０の中から、「心拍数」の項目値が最高の抽出情報がさらに抽出されたものである。また、図１３に示す抽出情報２３０は、図１２に示す抽出情報２３０の中から最新の抽出情報が特定されたものである。このように、抽出情報２３０は、撮影履歴情報データベース３００（図４参照）の撮影情報から、予め設定された条件に基づき抽出されて、抽出される毎に抽出情報記憶エリア２２４に記憶される。
【００４１】
次に、上記構成からなる撮影履歴記録システムの動作について、図１４乃至図１７を参照して説明する。図１４は、センサ装置１による情報取得処理のフローチャートである。図１５は、撮影記録装置２による撮影処理のメインのフローチャートである。図１６は、撮影判断処理を示すフローチャートである。図１７は、作成途中である比較情報２２０の概念図である。
【００４２】
まず、センサ装置１のＣＰＵ１０による情報取得処理について、図１４を参照して説明する。センサ装置１による情報取得処理は、センサ装置１に設けられた電源スイッチ（図示省略）がＯＮ操作されることにより開始される。はじめに、センサ値の取得時間に到達したか否かが判断される（Ｓ１０１）。センサ値の取得時間は適宜定めることができる。本実施形態では、ＲＴＣ４０により計測される時間が１０分経過する度にセンサ値の取得時間であると判断される。
【００４３】
センサ値の取得時間であると判断されると（Ｓ１０１：ＹＥＳ）、心拍センサ１８及び照度センサ１９から出力された各センサ値が取得され（Ｓ１０２）、センサ情報１１０（図７参照）として、ＲＡＭ１２に記憶される（Ｓ１０３）。なお、ＲＡＭ１２には、過去に取得された複数のセンサ情報１１０が記憶されている。最新のセンサ情報１１０が記憶されると共に、最も古いセンサ情報１１０が破棄される。
【００４４】
次いで、撮影記録装置２からセンサ情報１１０が要求されたか否かが判断される（Ｓ１０４）。撮影記録装置２からは、更新時間（例えば、１時間）になった場合、又は手動撮影が行われた場合に、センサ装置１に対してセンサ情報１１０を要求する旨の信号が出力される。センサ情報１１０が要求されたと判断された場合（Ｓ１０４：ＹＥＳ）、ＲＡＭ１２に記憶された最新のセンサ情報１１０が送受信回路２６によって撮影記録装置２に送信される（Ｓ１０５）。次に、電源スイッチがＯＦＦ操作されたか否かが判断される（Ｓ１０６）。電源スイッチがＯＦＦ操作された場合（Ｓ１０６：ＹＥＳ）、情報取得処理は終了する。電源スイッチがＯＦＦ操作されていない場合（Ｓ１０６：ＮＯ）、Ｓ１０１に戻り、センサ値の取得時間が監視される。
【００４５】
なお、Ｓ１０４で、センサ情報１１０が要求されたと判断されなかった場合（Ｓ１０４：ＮＯ）、Ｓ１０５の処理は行われず、電源スイッチがＯＦＦ操作されたか否かが判断される（Ｓ１０６）。電源スイッチがＯＦＦ操作された場合（Ｓ１０６：ＹＥＳ）、情報取得処理は終了する。電源スイッチがＯＦＦ操作されていない場合（Ｓ１０６：ＮＯ）、Ｓ１０１に戻り、センサ情報の取得時間が監視される。
【００４６】
次に、撮影記録装置２のＣＰＵ２０による制御動作について、図１５を参照して説明する。撮影記録装置２による撮影処理は、撮影記録装置２に設けられた電源スイッチ（図示省略）のＯＮ操作がユーザによってなされると、ＲＯＭ２２に記憶された撮影処理プログラムが読み込まれて実行される。はじめに、ユーザからの撮影指示があったか否かが判断される（Ｓ１）。ユーザからの撮影指示は、ユーザによってカメラ２０１のシャッタ（図示省略）が押下されることにより行われる。
【００４７】
ユーザからの撮影指示があったと判断された場合（Ｓ１：ＹＥＳ）、カメラ２０１による手動撮影が行われる（Ｓ１３）。手動撮影が終了すると、センサ装置１に対してセンサ情報１１０の要求信号が出力される（Ｓ１４）。
【００４８】
そして、センサ装置１から送信されたセンサ情報１１０が取得されると（Ｓ１５）、取得されたセンサ情報１１０は、ＲＡＭ２２のセンサ情報記憶エリア２２１に一時的に記憶される。そして、センサ情報記憶エリア２２１に記憶されたセンサ情報１１０の照度に関するセンサ値を、「晴」「雨」「曇」の何れかである天候情報に変換する（Ｓ１６）。Ｓ１６では、上記した天候変換方法に基づいて、ＲＯＭ２１に記憶された天候変換プログラムにより、検出された照度に関するセンサ値を天候情報に変換する。
【００４９】
次に、位置情報検出装置２７によって検出された、ユーザが存在する場所である位置情報が取得される（Ｓ１７）。さらに、ＲＴＣ３０によって計測された「月」「時刻」の日時情報が取得される（Ｓ１８）。そして、これら取得されたセンサ情報１１０、位置情報、日時情報に基づき、ユーザ情報２１０（図８参照）が作成される。即ち、ユーザ情報２１０の「場所」、「月」、「時刻」、「天候」、「心拍数」の各項目に、例えば、「Ａ」、「５月」、「１１：００」、「晴」、「６５」の各項目値が各々記憶される。このユーザ情報２１０は、ＲＡＭ２２のユーザ情報記憶エリア２２２に記憶される。そして、ユーザ情報記憶エリア２２２に記憶されたユーザ情報２１０と、手動で撮影されたという撮影動作に関する情報と、画像データとが、撮影情報として撮影履歴情報データベース３００（図４参照）に書き込まれる（Ｓ１１）。次いで、電源スイッチのＯＦＦ操作がなされたか否かが判断される（Ｓ１２）。電源スイッチのＯＦＦ操作がなされた場合（Ｓ１２：ＹＥＳ）、情報取得処理は終了する。電源スイッチのＯＦＦ操作がなされていない場合（Ｓ１２：ＮＯ）、Ｓ１に戻り、ユーザからの撮影指示の有無が監視される。
【００５０】
ところで、Ｓ１の処理において、ユーザからの撮影指示がないと判断された場合（Ｓ１：ＮＯ）、更新時間か否かが判断される（Ｓ２）。更新時間は適宜定めることができる。なお、本実施形態では、ＲＴＣ３０により計測される時間が１時間経過する毎に更新時間と判断される。更新時間でないと判断された場合（Ｓ２：ＮＯ）、Ｓ１に戻って、引き続き更新時間が監視される。更新時間であると判断された場合（Ｓ２：ＹＥＳ）、センサ装置１に対してセンサ情報１１０の要求信号が出力される（Ｓ３）。
【００５１】
センサ装置１から送信されたセンサ情報１１０が取得されると（Ｓ４）、取得されたセンサ情報１１０は、ＲＡＭ２２のセンサ情報記憶エリア２２１に一時的に記憶される。そして、センサ情報記憶エリア２２１に記憶されたセンサ情報１１０の照度に関するセンサ値を、「晴」「雨」「曇」の何れかである天候情報に変換する（Ｓ５）。Ｓ５では、上記した天候変換方法に基づいて、ＲＯＭ２１に記憶された天候変換プログラムにより、検出された照度に関するセンサ値を天候情報に変換する。
【００５２】
次に、位置情報検出装置２７によって検出された、ユーザが存在する場所である位置情報が取得される（Ｓ６）。さらに、ＲＴＣ３０によって計測された「月」「時刻」の日時情報が取得される（Ｓ７）。そして、これら取得されたセンサ情報１１０、位置情報、日時情報に基づき、ユーザ情報２１０（図８参照）が作成される。即ち、ユーザ情報２１０の「場所」、「月」、「時刻」、「天候」、「心拍数」の各項目に、例えば、「Ａ」、「５月」、「１１：００」、「晴」、「６５」の各項目値が各々記憶される。このユーザ情報２１０は、ＲＡＭ２２のユーザ情報記憶エリア２２２に記憶される。
【００５３】
ユーザ情報２１０が作成されると、現在のユーザの状況が自動撮影する状況であるか否かを判断するために、撮影判断処理が実行される（Ｓ８）。
【００５４】
ここで、撮影判断処理について、図１６のフローチャートを参照して説明する。まず、ＨＤ２３に記憶されている撮影履歴情報データベース３００（図４参照）を構成する撮影情報の中に、ユーザ情報２１０と「場所」の項目値が一致する撮影情報が存在するか否かが判断される（Ｓ８０１）。撮影情報は、ユーザ情報２１０と撮影動作（手動撮影、自動撮影）に関する情報と画像データとからなり、手動撮影もしくは自動撮影が行われるたびに、ＨＤ２３に蓄積される。Ｓ８０１では、例えば、図８に示すように、ユーザ情報２１０の「場所」の項目値が「Ａ」の場合、撮影履歴情報データベース３００の中に、「場所」の項目値が「Ａ」である撮影情報が存在するか否かが判断される。
【００５５】
そして、撮影履歴情報データベース３００の中に、「場所」の項目値が「Ａ」である撮影情報が存在する場合（Ｓ８０１：ＹＥＳ）、撮影履歴情報データベース３００の「場所」の項目値が「Ａ」である撮影情報が抽出される（Ｓ８０２）。抽出された撮影情報の画像データ以外の情報は、図１０に示すように、抽出情報２３０として、ＲＡＭ２２の抽出情報記憶エリア２２４に記憶される。なお、後述するように、抽出情報２３０に基づいて、ユーザ情報２１０と比較される比較情報２２０が作成される。比較情報２２０は、後述するように、現在のユーザが撮影を要求する状況にあるか否かを判断するために、ユーザ情報２１０と比較される。
【００５６】
次に、抽出情報記憶エリア２２４に記憶された抽出情報２３０の中に、ユーザ情報２１０と全ての項目値が完全に一致する抽出情報２３０があるかどうかが判断される（Ｓ８０３）。例えば、図１０に示す抽出情報２３０の中には、図８に示すユーザ情報２１０と全ての項目値が完全に一致する抽出情報２３０はない（Ｓ８０３：ＮＯ）。
【００５７】
このような場合、図１０に示す抽出情報２３０が参照されて、「月」「時刻」「天候」の各項目で、最も頻出した項目値が特定される（Ｓ８０４）。ここで、Ｓ８０４における項目値の特定方法について説明する。まず、図１０に示す抽出情報２３０において、「月」の項目については、「１月」が１つ、「２月」が２つ、「５月」が２つである。この場合、最頻出の項目値が存在しないので特定されない。「時刻」の項目値については、「１７：００」が１つ、「１５：００」が１つ、「１０：００」が１つ、「１１：００」が１つ、「９：００」が１つであるため、最頻出の項目値が存在せず、特定されない。「天候」の項目値については、「晴」が３つ、「曇」が１つ、「雨」が１つである。この場合、「晴」が最頻出の項目値として特定される。
【００５８】
次に、比較情報２２０（図９参照）を構成する全項目値が特定されたか否かが判断される（Ｓ８０５）。上述の例では、全項目のうち、「場所」と「天候」の項目値のみが特定されている。
【００５９】
このような場合には、比較情報２２０を構成する全項目値が特定されているわけではないと判断され（Ｓ８０５：ＮＯ）、抽出情報２３０（図１０参照）に基づいて特定された項目値が、比較情報２２０の項目値として記憶される（Ｓ８０６）。例えば、比較情報２２０には、図１７に示すように、「場所」の項目値として「Ａ」、「天候」の項目値として「晴」が記憶される。
【００６０】
次に、抽出情報記憶エリア２２４の中から、１つの抽出情報が特定される（Ｓ８０７）。はじめに、抽出情報記憶エリア２２４に記憶された抽出情報２３０の中から、「撮影動作」の項目値が「手動」である抽出情報２３０がさらに抽出され、抽出情報記憶エリア２２４に上書きされる。例えば、図１０に示す抽出情報２３０の中からは、左から１、３、４列目に示す抽出情報２３０が、「撮影動作」が「手動」であるとして抽出され、図１１に示す情報として、抽出情報記憶エリア２２４に上書きされる。
【００６１】
そして、図１１に示す抽出情報２３０の中から、「心拍数」の項目値が最高値である抽出情報２３０がさらに抽出され、抽出情報記憶エリア２２４に上書きされる。例えば、図１１に示す抽出情報２３０には、「心拍数」の項目値が「７５」の抽出情報２３０と、「心拍数」の項目値が「６０」の抽出情報２３０とが存在する。この場合、「心拍数」の項目値が「７５」の抽出情報２３０が、「心拍数」の項目値が最高値を示す抽出情報２３０として、さらに抽出され、図１２に示す情報として、抽出情報記憶エリア２２４に上書きされる。
【００６２】
さらに、図１２に示す抽出情報２３０の中から、最新の抽出情報２３０が特定される。最新の抽出情報２３０の特定は、「月」および「時刻」の項目値を参照して行われる。例えば、図１２に示す抽出情報２３０には、「月」の項目値が「１月」の抽出情報２３０と、「月」の項目値が「２月」の抽出情報２３０とが存在する。この場合、「月」の項目値が「２月」の抽出情報２３０が最新の情報であると特定され、図１３に示す情報として抽出情報記憶エリア２２４に上書きされる。
【００６３】
抽出情報２３０が１つに特定されると（Ｓ８０７）、Ｓ８０４では特定されなかった比較情報２２０の項目値について、Ｓ８０７で特定された抽出情報２３０の項目値が、比較情報２２０の項目値として記憶される（Ｓ８０８）。例えば、図１７に示すように、Ｓ８０４で、比較情報２２０の項目値のうちの「場所」と「天候」との項目値のみが決定されている場合、決定されていない「月」と「時刻」との項目値については、Ｓ８０７で特定された図１３に示す抽出情報２３０の項目値が記憶される。この処理により、図９に示すように、比較情報２２０の全項目値が特定される。
【００６４】
なお、Ｓ８０３において、図１０に示す抽出情報２３０の中に、ユーザ情報２１０と項目値が完全に一致する抽出情報２３０があると判断された場合（Ｓ８０３：ＹＥＳ）、その抽出情報の全項目値が、比較情報２２０の全項目値として記憶される（Ｓ８１４）。また、Ｓ８０４において、比較情報２２０を構成する全項目値が特定された場合（Ｓ８０５：ＹＥＳ）、特定された全項目値が、比較情報２２０の全項目値として記憶される（Ｓ８１５）。
【００６５】
Ｓ８０８、Ｓ８１４、Ｓ８１５のいずれかの処理により、比較情報２２０の全項目値が特定されると、ユーザ情報２１０と比較情報２２０とが「月」と「時刻」と「天候」との各項目について比較され、項目ごとに比較値が算出される（Ｓ８０９）。各項目の比較値は、それぞれ下記のように求められる。
【００６６】
はじめに「月」の項目に関する比較値について説明する。「月」の項目に関する比較値は、下記のように求められる。なお、「月」の項目に関する比較値：Ｍ１、ユーザ情報２１０の「月」に関する項目値：Ｓ１、比較情報２２０の「月」に関する項目値：Ｄ１とする。
｜Ｓ１−Ｄ１｜＝Ｘ１
Ｘ≦６の場合は、Ｙ１＝Ｘ１
Ｘ＞６の場合は、Ｙ１＝１２−Ｘ１
Ｍ１＝Ｙ１／６
【００６７】
図８に示すユーザ情報２１０では、「月」に関する項目値は、「５月」なので、ユーザ情報の「月」に関する項目値Ｓ１は、Ｓ１＝５である。図９に示す比較情報２２０では、「月」に関する項目値は「２月」なので、比較情報の「月」に関する項目値Ｄ１は、Ｄ１＝２である。これらの値に基づいて比較値Ｍを算出すると、下記のようになる。
Ｘ１＝｜Ｓ１−Ｄ１｜＝｜５−２｜＝３
Ｘ１≦６なので、Ｙ１＝Ｘ１となり、Ｙ１＝３
Ｍ１＝Ｙ１／６＝３／６＝０．５
【００６８】
次に、「時刻」の項目に関する比較値について説明する。「時刻」の項目に関する比較値は、下記のように求められる。なお、「時刻」の項目に関する比較値：Ｍ２、ユーザ情報２１０の「時刻」に関する項目値：Ｓ２、比較情報２２０の「時刻」に関する項目値：Ｄ２とする。
｜Ｓ２−Ｄ２｜＝Ｘ２
Ｘ２≦１２の場合は、Ｙ２＝Ｘ２
Ｘ２＞１２の場合は、Ｙ２＝２４−Ｘ２
Ｍ２＝Ｙ２／１２
【００６９】
図８に示すユーザ情報２１０では、「時刻」に関する項目値は、「１１：００」なので、ユーザ情報の「時刻」に関する項目値Ｓ２は、Ｓ２＝１１である。図９に示す比較情報２２０では、「時刻」に関する項目値は「１０：００」なので、比較情報の「時刻」に関する項目値Ｄ２は、Ｄ２＝１０である。これらの値に基づいて比較値Ｍ２を算出すると、下記のようになる。
Ｘ２＝｜Ｓ２−Ｄ２｜＝｜１１−１０｜＝１
Ｘ２≦６なので、Ｙ２＝Ｘ２となり、Ｙ２＝１
Ｍ２＝Ｙ２／１２＝１／１２＝０．０８
【００７０】
次に、「天候」の項目に関する比較値について説明する。「天候」の項目に関する比較値は、下記のように求められる。なお、「天候」の項目に関する比較値：Ｍ３、ユーザ情報２１０の「天候」に関する項目値：Ｓ３、比較情報２２０の「天候」に関する項目値：Ｄ３とする。「天候」の比較値Ｍ３は、ユーザ情報２１０の項目値Ｓ３、比較情報２２０の項目値Ｄ３を比較し、一致していれば「０」、異なっていれば「１」とする。図８に示すユーザ情報２１０、および図９に示す比較情報２２０では、ともに「天候」に関する項目値は「晴」なので、「天候」に関する比較値Ｍ３は、Ｍ３＝０である。
【００７１】
各項目において比較値Ｍが算出されると、比較値Ｍ１〜Ｍ３に基づいて、ユーザ情報２１０と比較情報２２０との一致率である、ユーザの興味度が算出される（Ｓ８１０）。興味度は、１と比較値Ｍ１〜Ｍ３との平均値との差であらわされる。本実施形態では、「月」に関する比較値Ｍ１は、Ｍ１＝０．５、「時刻」に関する比較値Ｍ２は、Ｍ２＝０．０８、「天候」に関する比較値Ｍ３はＭ３＝０なので、興味度をＴとすると、
Ｔ＝１−（Ｍ１＋Ｍ２＋Ｍ３）／３
＝１−（０．５＋０．０８＋０）／３
＝０．８１
となる。
【００７２】
興味度Ｔが算出されると（Ｓ８１０）、興味度Ｔが所定値以上であるか否かが判断される（Ｓ８１１）。所定値は、任意に設定可能であるが、本実施形態では、所定値をＫとして、Ｋ＝０．６とする。Ｓ８１０で算出された興味度Ｔが、０．８１なので、本実施形態では興味度Ｔが所定値Ｋ以上であると判断される（Ｓ８１１：ＹＥＳ）。興味度Ｔが所定値Ｋ以上であった場合（Ｓ８１１：ＹＥＳ）、ＲＡＭ２２の撮影フラグ記憶エリア２２５には「１」が記憶されて、撮影フラグがＯＮとされる（Ｓ８１３）。
【００７３】
また、Ｓ８１１で興味度Ｔが所定値Ｋ以上ではないと判断された場合（Ｓ８１１：ＮＯ）、撮影フラグ記憶エリア２２５には「０」が記憶されて、撮影フラグがＯＦＦとされる（Ｓ８１２）。なお、撮影フラグ記憶エリア２２５には、初期値として「０」が記憶されており、撮影フラグはＯＦＦとされている。
【００７４】
なお、Ｓ８０１で、撮影履歴情報データベース３００の中に、ユーザ情報２１０と「場所」の項目値が一致する撮影情報がないと判断された場合にも（Ｓ８０１：ＮＯ）、撮影判断結果は「撮影しない」とされ、撮影フラグ記憶エリアには「０」が記憶されて、撮影フラグがＯＦＦとされる（Ｓ８１２）。Ｓ８１２、Ｓ８１３のいずれかの処理が行われた後、処理は図１５に示すメイン処理に戻る。
【００７５】
メイン処理では、撮影判断処理の後、撮影判断処理で設定された撮影フラグがＯＮであるか否かが判断される（Ｓ９）。撮影フラグがＯＮである場合（Ｓ９：ＹＥＳ）、撮影回路２５が駆動されて、自動撮影がカメラ２０１により行われる（Ｓ１０）。自動撮影が行われると、撮影された画像データとともに、自動で撮影されたという撮影動作に関する情報とユーザ情報２１０とが、撮影情報として、ＨＤ２３の撮影情報記憶エリア（図示省略）に保存され（Ｓ１１）、Ｓ１２の処理に進む。なお、Ｓ９において、撮影フラグがＯＦＦであると判断されると（Ｓ９：ＮＯ）、Ｓ１０およびＳ１１の処理は行われずに、Ｓ１２の処理に進む。
【００７６】
Ｓ１２では、ユーザによって撮影記録装置２の電源ＯＦＦ操作がなされたか否かが判断される。ＯＦＦ操作がなされたと判断されなかった場合（Ｓ１２：ＮＯ）、Ｓ１に戻る。電源ＯＦＦ操作がなされたと判断された場合（Ｓ１２：ＹＥＳ）、メインの処理は終了する。
【００７７】
以上説明した第１実施形態の撮影履歴記録システムによれば、ユーザの生体情報である心拍数と、ユーザの周辺環境に関する情報である照度とが、センサ装置１によって取得される。そして、ユーザによる手動撮影が行われる毎、センサ装置１によって取得された情報と、位置情報検出装置２７によって検出された位置情報と、ＲＴＣ３０によって計測された日時情報とに基づき、ユーザ情報２１０が作成される。このユーザ情報２１０は、ユーザによる手動撮影が行われない場合であっても、所定時間毎に作成される。作成されたユーザ情報２１０は、手動または自動による撮影動作が行われるたびに、撮影情報として、ＨＤ２３に蓄積される。
【００７８】
そして、ＨＤ２３に蓄積された撮影履歴情報データベース３００に基づき、比較情報２２０が作成される。作成された比較情報２２０と現在のユーザ情報２１０とが比較され、比較結果から、カメラ２０１による自動撮影を行うか否かが判断される。よって、自動撮影を行うか否かの判断は、ユーザの心拍数、ユーザ周辺の天候、ユーザ位置、および日時に基づいて行われる。これにより、ユーザの感情状態だけでなく、ユーザを取り巻く環境に応じて自動撮影が行われる撮影履歴記録システムを提供することができる。
【００７９】
また、ユーザ情報２１０の項目値と、比較情報２２０の項目値とを比較して得られる比較値Ｍが算出され、算出された比較値Ｍに基づいて、現在のユーザ情報２１０と、比較情報２２０との一致率である興味度Ｔが算出される。そして、興味度Ｔが所定値Ｋ以上であれば、自動撮影が行われる。ユーザの撮影に対する欲求が生じる状況に対応する比較情報２２０と、現在のユーザ情報２１０とを比較して、興味度Ｔが所定値Ｋ以上である場合に自動撮影が行われるため、ユーザの撮影に対する欲求が生じる状況で、自動撮影が行われる撮影履歴記録システムを提供することができる。
【００８０】
さらに、ユーザ情報２１０と比較する比較情報２２０の項目値を、抽出情報記憶エリア２２４に記憶された抽出情報２３０を参照し、最も頻出した項目値とする。本実施形態では、ユーザ情報２１０と「場所」の項目値が一致する撮影情報が抽出され（Ｓ８０２）、抽出された抽出情報２３０が参照されて、最も頻出した項目値が特定される（Ｓ８０４）。そのため、ユーザが現在いる場所で、過去に最も多く撮影動作を行った状況を、比較情報の項目値として反映させることができる。これにより、ユーザが過去に最も多く撮影動作を行った状況に近い状況になると、自動撮影が行われる撮影履歴記録システムを提供することができる。
【００８１】
なお、第１実施形態において、カメラ２０１が撮影手段に相当する。また、心拍センサ１８が生体情報取得手段に相当する。照度センサ１９及び位置情報検出装置２７が環境情報取得手段に相当する。撮影履歴情報データベース３００が、撮影情報記憶手段に相当する。図１６のＳ８１１〜Ｓ８１３、図１５のＳ９の処理を行うＣＰＵ２０が、撮影判断手段に相当する。
【００８２】
また、図１６のＳ８０１〜Ｓ８０７、Ｓ８１４、Ｓ８１５の処理を行うＣＰＵ２０が、比較情報作成手段に相当する。図１６に示すＳ８０９の処理を行うＣＰＵ２０が、比較値算出手段に相当する。また、図１６に示すＳ８１０の処理を行うＣＰＵ２０が、一致率算出手段に相当する。
【００８３】
続いて、第２実施形態の撮影履歴記録システムについて説明する。第２実施形態の撮影履歴記録システムでは、撮影履歴情報データベース３００を構成する撮影情報の項目値の中に、ユーザ情報２１０のいずれかの項目値と同じ値がある場合には、自動撮影が行われる。第２実施形態の撮影履歴記録システムでは、図１５に示す撮影処理で行われる撮影判断処理（Ｓ８）が、第１実施形態とは異なる。そこで、第１実施形態とは異なる第２実施形態における撮影判断処理について、図１８を参照して説明する。図１８は、第２実施形態における撮影判断処理を示すフローチャートである。
【００８４】
図１８に示すように、第２実施形態における撮影判断処理では、はじめに、撮影履歴情報データベース３００を構成する撮影情報の項目値の中に、ユーザ情報の項目値と一致する項目値があるか否かが判断される（Ｓ８２１）。そして、一致する項目値があると判断されれば（Ｓ８２１：ＹＥＳ）、ＲＡＭ２２の撮影フラグ記憶エリア２２５には「１」が記憶され、撮影フラグがＯＮに設定される（Ｓ８２３）。一方、一致する項目値がないと判断されれば（Ｓ８２１：ＮＯ）、撮影フラグ記憶エリア２２５には「０」が記憶され、撮影フラグがＯＦＦに設定される（Ｓ８２２）。
【００８５】
例えば、図８に示すように、ユーザ情報２１０が、「場所」の項目値「Ａ」、「月」の項目値「５月」、「時刻」の項目値「１１：００」、「天候」の項目値「晴」、「心拍数」の項目値「６５」を備える場合について説明する。Ｓ８２１では、図４に示す撮影履歴情報データベース３００を構成する撮影情報の項目値の中に、「場所」の項目値「Ａ」、または「月」の項目値「５月」、または「時刻」の項目値「１１：００」、または「天候」の項目値「晴」、または「心拍数」の項目値「６５」が存在するか否が判断される。撮影履歴情報データベース３００の撮影情報の項目値の中には、「場所」の項目値として「Ａ」が存在するため（Ｓ８２１：ＹＥＳ）、一致する項目値があると判断され、撮影フラグ記憶エリア２２５には「１」が記憶され、撮影フラグがＯＮに設定される（Ｓ８２３）。Ｓ８２２、またはＳ８２３の処理が終了すると、処理はメインの処理（図１５参照）に戻る。
【００８６】
メインの処理では、第１実施形態と同様に、撮影判断処理で設定された撮影フラグがＯＮであるか否かが判断される（Ｓ９）。撮影フラグがＯＮである場合（Ｓ９：ＹＥＳ）、撮影回路２５が駆動されて、自動撮影がカメラ２０１により行われる（Ｓ１０）。自動撮影が行われると、撮影された画像データとともに、自動で撮影されたという撮影動作に関する情報とユーザ情報２１０とが、撮影情報として、ＨＤ２３の撮影情報記憶エリア（図示省略）に保存され（Ｓ１１）、Ｓ１２の処理に進む。なお、Ｓ９において、撮影フラグがＯＦＦであると判断されると（Ｓ９：ＮＯ）、Ｓ１０およびＳ１１の処理は行われずに、Ｓ１２の処理に進む。
【００８７】
Ｓ１２では、ユーザによって撮影記録装置２の電源ＯＦＦ操作がなされたか否かが判断される。ＯＦＦ操作がなされたと判断されなかった場合（Ｓ１２：ＮＯ）、Ｓ１に戻る。電源ＯＦＦ操作がなされたと判断された場合（Ｓ１２：ＹＥＳ）、メインの処理は終了する。
【００８８】
以上説明したように、第２実施形態の撮影履歴記録システムでは、撮影履歴情報データベース３００を構成する撮影情報の項目値の中に、ユーザ情報２１０のいずれかの項目値と一致する項目値があるか否かが判断され、一致する項目値があると判断された場合には、自動撮影が行われる。これにより、ユーザが過去に撮影動作を行った状況に近い状況になれば自動撮影を行うことができるので、取りこぼしの少ない撮影履歴記録システムを提供することができる。
【００８９】
なお、第２実施形態において、図１８のＳ８２１〜Ｓ８２３、図１５のＳ９の処理を行うＣＰＵ２０が、撮影判断手段に相当する。
【００９０】
続いて、第３実施形態の撮影履歴記録システムについて、図１９〜図２３を参照して説明する。図１９は、第３実施形態における撮影履歴情報データベース３１０の概念図である。図２０は、第３実施形態における撮影記録装置２による画像出力処理を示すフローチャートである。図２１は、第３実施形態における撮影記録装置２による撮影判断処理を示すフローチャートである。図２２は、抽出情報記憶エリア２２４の概念図である。図２３は、抽出情報記憶エリア２２４の概念図である。
【００９１】
第３実施形態の撮影履歴記録システムでは、撮影処理とは別途実行される画像出力処理において、撮影記録装置２のＨＤ２３に記憶された撮影情報の画像データが、印刷装置６０に出力されて利用された場合に、その画像データが利用されたことが記憶される。そして、撮影判断処理において、過去に利用されたことのある画像データを有する撮影情報と、手動撮影により得られた撮影情報とが抽出され、その中に、ユーザ情報２１０のいずれかの項目値と同じ値があると判断された場合には、撮影処理において自動撮影が行われる点に特徴を有する。そこで、第３実施形態では、第１実施形態とは異なる画像出力処理、および撮影判断処理を中心に説明する。
【００９２】
初めに、第３実施形態における撮影記録装置２のＨＤ２３に記憶される撮影履歴情報データベース３１０について、図１９を参照して説明する。撮影履歴情報データベース３１０を構成する撮影情報は、第１実施形態における撮影履歴情報データベース３００を構成する撮影情報と同一項目に加え、画像データが利用されたか否かを示す項目（「利用状況」）を備えている。後述の画像出力処理により画像データが外部に出力されると、出力された画像データを備える撮影情報の「利用状況」に関する項目の項目値として「済」が記憶される。なお、本実施形態における「画像データが利用された」とは、画像データが送受信回路２６により、画像を印刷する印刷装置６０（図２参照）に送信されることを指すものとする。
【００９３】
次に、第３実施形態における画像出力処理について、図２０を参照して説明する。画像出力処理は、撮影処理とは別途実行され、撮影記録装置２の操作部２９（図３参照）が操作されることによって開始される。はじめに、撮影履歴情報データベース３１０に記憶された画像データに対応する画像が、ＬＣＤ５０（図３参照）に表示される（Ｓ２０１）。次に、ＬＣＤ５０に表示された複数の画像の中から、特定の画像が決定されたか否かが判断される（Ｓ２０２）。ＬＣＤ５０に表示された複数の画像の中から、ユーザにより所望の画像が選択され、操作部２９に設けられた画像決定ボタン（図示省略）が押下されることにより、出力する画像が決定される（Ｓ２０２：ＹＥＳ）。
【００９４】
画像が決定されていないと判断された場合（Ｓ２０２：ＮＯ）、画像が決定されるまで、Ｓ２０２の処理が繰り返される。ユーザにより画像決定ボタンが押下されて、画像が決定された場合（Ｓ２０２：ＹＥＳ）、送受信回路２６によって、決定された画像に対応する画像データが、印刷装置６０（図３参照）に送信される（Ｓ２０３）。そして、出力された画像データを備える撮影情報の「利用状況」に関する項目の項目値として「済」が記憶される（Ｓ２０４）。
【００９５】
次に、第３実施形態における撮影判断処理について、図２１を参照して説明する。まず、撮影履歴情報データベース３１０（図１９参照）を構成する撮影情報の項目値の中に、「撮影動作」の項目値が「手動」の撮影情報があるか否かが判断される（Ｓ８４１）。例えば、図１９に示す撮影履歴情報データベース３１０が参照された場合、左から２列目と３列目の撮影情報の「撮影動作」の項目値が「手動」である。よって、撮影履歴情報データベース３１０の中に、「撮影動作」の項目値が「手動」の撮影情報があると判断され（Ｓ８４１：ＹＥＳ）、「撮影動作」の項目値が「手動」の撮影情報が抽出される（Ｓ８４２）。抽出された撮影情報のうち画像データ以外の情報は、図２２に示すように、抽出情報２３０として、ＲＡＭ２２の抽出情報記憶エリア２２４に記憶される。
【００９６】
次に、抽出情報記憶エリア２２４に記憶された抽出情報２３０の項目値の中に、ユーザ情報２１０（図８参照）のいずれかの項目値と一致する項目値があるか否かが判断される（Ｓ８４３）。そして、一致する項目値があると判断されれば（Ｓ８４３：ＹＥＳ）、ＲＡＭ２２の撮影フラグ記憶エリア２２５には、「１」が記憶され、撮影フラグはＯＮに設定される（Ｓ８４７）。一方、一致する項目値がないと判断されれば（Ｓ８４３：ＮＯ）、Ｓ８４４の処理に進む。
【００９７】
例えば、図２２に示す抽出情報記憶エリア２２４に記憶された抽出情報２３０には、図８に示すユーザ情報２１０と一致する項目値がない（Ｓ８４３：ＮＯ）。この場合には、撮影履歴情報データベース３１０を構成する撮影情報の中に、「利用状況」の項目値が「済」の撮影情報があるか否かが判断される（Ｓ８４４）。例えば、図１９に示す撮影履歴情報データベース３１０が参照された場合、左から２〜４列目の撮影情報が「利用状況」の項目値が「済」である。
【００９８】
よって、「利用状況」の項目値が「済」の撮影情報があると判断され（Ｓ８４４：ＹＥＳ）、「利用状況」の項目値が「済」の撮影情報が抽出される（Ｓ８４５）。抽出された撮影情報のうち画像データ以外の情報は、図２３に示すように、最新の抽出情報２３０として、ＲＡＭ２２の抽出情報記憶エリア２２４に上書きされる。
【００９９】
次に、抽出情報記憶エリア２２４に記憶された最新の抽出情報２３０の項目値の中に、ユーザ情報２１０のいずれかの項目値と一致する項目値があるか否かが判断される（Ｓ８４６）。そして、一致する項目値があると判断されれば（Ｓ８４６：ＹＥＳ）、ＲＡＭ２２の撮影フラグ記憶エリア２２５には、「１」が記憶されて、撮影フラグがＯＮとされる（Ｓ８４７）。例えば、図２３に示す抽出情報記憶エリア２２４に記憶された抽出情報２３０の中には、「場所」の項目値として「Ａ」が存在するが、これは、図８に示すユーザ情報２１０の「場所」の項目値と同じ値である（Ｓ８４６：ＹＥＳ）。この場合には、撮影フラグ記憶エリア２２５には、「１」が記憶されて、撮影フラグがＯＮとされる（Ｓ８４７）。
【０１００】
一方、Ｓ８４６で一致する項目値がないと判断されると（Ｓ８４６：ＮＯ）、撮影フラグ記憶エリア２２５には、「０」が記憶されて、撮影フラグはＯＦＦにされる（Ｓ８４８）。Ｓ８４７、またはＳ８４８の処理が終了すると、処理はメインの処理に戻る。
【０１０１】
メインの処理では、第１実施形態と同様に、撮影判断処理で設定された撮影フラグがＯＮであるか否かが判断される（Ｓ９）。撮影フラグがＯＮである場合（Ｓ９：ＹＥＳ）、撮影回路２５が駆動されて、自動撮影がカメラ２０１により行われる（Ｓ１０）。自動撮影が行われると、撮影された画像データとともに、自動で撮影されたという撮影動作に関する情報とユーザ情報２１０とが、撮影情報として、ＨＤ２３の撮影情報記憶エリア（図示省略）に保存され（Ｓ１１）、Ｓ１２の処理に進む。なお、Ｓ９において、撮影フラグがＯＦＦであると判断されると（Ｓ９：ＮＯ）、Ｓ１０およびＳ１１の処理は行われずに、Ｓ１２の処理に進む。
【０１０２】
Ｓ１２では、ユーザによって撮影記録装置２の電源ＯＦＦ操作がなされたか否かが判断される。ＯＦＦ操作がなされたと判断されなかった場合（Ｓ１２：ＮＯ）、Ｓ１に戻る。電源ＯＦＦ操作がなされたと判断された場合（Ｓ１２：ＹＥＳ）、メインの処理は終了する。
【０１０３】
以上説明したように、第３実施形態の撮影履歴記録システムでは、撮影動作が手動であったことを示す項目を有する撮影情報の中、もしくは画像データが利用されたことを示す項目を有する撮影情報の中に、ユーザ情報２１０のいずれかの項目値と同一の項目値がある場合には、自動撮影がなされる。よって、手動で撮影が行われた状況、又は利用された画像データが撮影された状況に近い状況で、自動撮影が行われる。撮影動作が手動であるとき、その撮影動作はユーザが能動的に行ったものであり、その状況でのユーザの撮影に対する欲求は高かったといえる。また、画像データが利用されたものであるとき、その画像データが作成された状況は、ユーザにとって興味深い状況であったといえる。これにより、ユーザの撮影に対する欲求が生じる状況で自動撮影を行うことができる。
【０１０４】
なお、第３実施形態において、図２１のＳ８４１〜Ｓ８４８、図１５のＳ９の処理を行うＣＰＵ２０が、撮影判断手段に相当する。
【０１０５】
続いて、第４実施形態の撮影履歴記録システムについて説明する。第４実施形態の撮影履歴記録システムでは、図１５に示す撮影処理で行われる撮影判断処理（Ｓ８）が、第１実施形態とは異なる。そこで、第１実施形態とは異なる第４実施形態における撮影判断処理について、図２４、図２５を参照して説明する。図２４は、第４実施形態における撮影判断処理を示すフローチャートである。図２５は、撮影履歴情報データベース３２０の概念図である。
【０１０６】
図２４に示すように、第４実施形態における撮影判断処理では、はじめに、撮影履歴情報データベース３００を構成する撮影情報の中に、ユーザ情報２１０の全ての項目値に対し、対応する全ての項目値が一致する撮影情報があるか否かが判断される（Ｓ８５１）。そして、ユーザ情報２１０の全ての項目値に対し、対応する全ての項目値が一致する撮影情報があると判断されれば（Ｓ８５１：ＹＥＳ）、ＲＡＭ２２の撮影フラグ記憶エリア２２５には「１」が記憶されて、撮影フラグはＯＮとされる（Ｓ８５２）。一方、ユーザ情報２１０の全ての項目値に対し、対応する全ての項目値が一致する撮影情報がないと判断されれば（Ｓ８５１：ＮＯ）、撮影フラグ記憶エリア２２５には「０」が、記憶されて、撮影フラグはＯＦＦとされる（Ｓ８５３）。
【０１０７】
例えば、図８に示すユーザ情報２１０は、「場所」の項目値「Ａ」、「月」の項目値「５月」、「時刻」の項目値「１１：００」、「天候」の項目値「晴」、「心拍数」の項目値「６５」を備える。一方、図２５に示す撮影履歴情報データベース３２０の中には、「場所」の項目値「Ａ」、「月」の項目値「５月」、「時刻」の項目値「１１：００」、「天候」の項目値「晴」、「心拍数」の項目値「６５」を備えた撮影情報が存在する（Ｓ８５１：ＹＥＳ）。この場合、撮影フラグ記憶エリア２２５には「１」が記憶されて、撮影フラグはＯＮとされる（Ｓ８５２）。Ｓ８５２、またはＳ８５３の処理が終了すると、処理はメインの処理に戻る。
【０１０８】
メインの処理では、第１実施形態と同様に、撮影判断処理で設定された撮影フラグがＯＮであるか否かが判断される（Ｓ９）。撮影フラグがＯＮである場合（Ｓ９：ＹＥＳ）、撮影回路２５が駆動されて、自動撮影がカメラ２０１により行われる（Ｓ１０）。自動撮影が行われると、撮影された画像データとともに、手動か自動かの撮影動作結果とユーザ情報２１０とが、撮影情報として、ＨＤ２３の撮影情報記憶エリア（図示省略）に保存され（Ｓ１１）、Ｓ１２の処理に進む。なお、Ｓ９において、撮影フラグがＯＦＦであると判断されると（Ｓ９：ＮＯ）、Ｓ１０およびＳ１１の処理は行われずに、Ｓ１２の処理に進む。
【０１０９】
Ｓ１２では、ユーザによって撮影記録装置２の電源ＯＦＦ操作がなされたか否かが判断される。ＯＦＦ操作がなされたと判断されなかった場合（Ｓ１２：ＮＯ）、Ｓ１に戻る。電源ＯＦＦ操作がなされたと判断された場合（Ｓ１２：ＹＥＳ）、メインの処理は終了する。
【０１１０】
以上説明したように、第４実施形態の撮影履歴記録システムでは、前記比較情報を構成する撮影情報の中に、現在のユーザ情報の全ての項目値に対し、対応する全ての項目値が一致する撮影情報がある場合には、自動撮影が行われる。これにより、ユーザが過去に撮影動作を行った状況と同じ状況において、自動撮影を行うことができる。
【０１１１】
なお、第４実施形態において、図２４のＳ８５１〜Ｓ８５３、図１５のＳ９の処理を行うＣＰＵ２０が、撮影判断手段に相当する。
【０１１２】
続いて、第５実施形態の撮影履歴記録システムについて説明する。第５実施形態の撮影履歴記録システムでは、図１５に示す撮影処理で行われる撮影判断処理（Ｓ８）が、第３実施形態とは異なる。そこで、第３実施形態とは異なる第５実施形態における撮影判断処理のみについて、図２６を参照して説明する。図２６は、第５実施形態における撮影判断処理を示すフローチャートである。
【０１１３】
第５実施形態における撮影判断処理では、撮影履歴情報データベース３１０の中から、撮影動作の項目値が「手動」、もしくは利用状況の項目値が「済」の撮影情報が抽出される。そして、抽出された抽出情報２３０とユーザ情報２１０とが比較されて、ユーザが撮影を要求する状況にあるか否かの判断がなされる。
【０１１４】
図２６に示すように、第５実施形態における撮影判断処理では、はじめに、撮影履歴情報データベース３１０（図１９参照）を構成する撮影情報の項目値の中に、「撮影動作」の項目値が「手動」の撮影情報があるか否かが判断される（Ｓ８６１）。例えば、図１９に示す撮影履歴情報データベース３１０が参照された場合、左から２列目と３列目の撮影情報の「撮影動作」の項目値が「手動」である（Ｓ８６１：ＹＥＳ）。
【０１１５】
この場合、「撮影動作」の項目値が「手動」の撮影情報が抽出される（Ｓ８６２）。抽出された撮影情報の画像データ以外の情報は、図２２に示すように、抽出情報２３０として、ＲＡＭ２２の抽出情報記憶エリア２２４に記憶される。
【０１１６】
次に、抽出情報記憶エリア２２４に記憶された抽出情報２３０の中に、ユーザ情報２１０の全ての項目値に対し、対応する全ての項目値が一致する抽出情報２３０があるか否かが判断される（Ｓ８６３）。そして、一致する抽出情報２３０があると判断されれば（Ｓ８６３：ＹＥＳ）、ＲＡＭ２２の撮影フラグ記憶エリア２２５には「１」が記憶されて撮影フラグはＯＮとされる（Ｓ８６７）。一方、一致する抽出情報２３０がないと判断されれば（Ｓ８６３：ＮＯ）、Ｓ８６４の処理に進む。
【０１１７】
例えば、図２２に示す抽出情報記憶エリア２２４に記憶された抽出情報２３０には、図８に示すユーザ情報２１０の全ての項目値に対し、対応する全ての項目が一致する撮影情報がない（Ｓ８６３：ＮＯ）。この場合、撮影履歴情報データベース３１０を構成する撮影情報の項目値の中に、「利用状況」の項目値が「済」の撮影情報があるか否かが判断される（Ｓ８６４）。例えば、図１９に示す撮影履歴情報データベース３１０が参照された場合、左から２〜４列目の撮影情報が「利用状況」の項目値が「済」である。よって、「利用状況」の項目値が「済」の撮影情報があると判断され（Ｓ８６４：ＹＥＳ）、「利用状況」の項目値が「済」の撮影情報が抽出される（Ｓ８６５）。抽出された撮影情報のうち画像データ以外の情報は、図２３に示すように、抽出情報２３０として、ＲＡＭ２２の抽出情報記憶エリア２２４に上書きされる。
【０１１８】
次に、抽出情報記憶エリア２２４に記憶された抽出情報２３０の中に、ユーザ情報２１０の全ての項目値に対し、対応する全ての項目値が一致する抽出情報２３０があるか否かが判断される（Ｓ８６６）。そして、一致する抽出情報２３０があると判断されれば（Ｓ８６６：ＹＥＳ）、ＲＡＭ２２の撮影フラグ記憶エリア２２５には「１」が記憶されて撮影フラグはＯＮとされる（Ｓ８６７）。一方、Ｓ８６６で一致する抽出情報２３０がないと判断されると（Ｓ８６６：ＮＯ）、撮影フラグ記憶エリア２２５には「０」が記憶されて撮影フラグはＯＦＦとされる（Ｓ８６７）。例えば、図２３に示す抽出情報記憶エリア２２４に記憶された抽出情報２３０の中には、図８に示すユーザ情報２１０の全ての項目値に対し、対応する全ての項目値が一致する抽出情報２３０はない（Ｓ８６６：ＮＯ）。この場合には、撮影判断結果として「撮影しない」が、ＲＡＭ２２に記憶される（Ｓ８６７）。Ｓ８６７、またはＳ８６８の処理が終了すると、処理はメインの処理に戻る。
【０１１９】
メインの処理では、第３実施形態と同様に、撮影判断処理で設定された撮影フラグがＯＮであるか否かが判断される（Ｓ９）。撮影フラグがＯＮである場合（Ｓ９：ＹＥＳ）、撮影回路２５が駆動されて、自動撮影がカメラ２０１により行われる（Ｓ１０）。自動撮影が行われると、撮影された画像データとともに、手動か自動かの撮影動作結果とユーザ情報２１０とが、撮影情報として、ＨＤ２３の撮影情報記憶エリア（図示省略）に保存され（Ｓ１１）、Ｓ１２の処理に進む。なお、Ｓ９において、撮影フラグがＯＦＦであると判断されると（Ｓ９：ＮＯ）、Ｓ１０およびＳ１１の処理は行われずに、Ｓ１２の処理に進む。
【０１２０】
Ｓ１２では、ユーザによって撮影記録装置２の電源ＯＦＦ操作がなされたか否かが判断される。ＯＦＦ操作がなされたと判断されなかった場合（Ｓ１２：ＮＯ）、Ｓ１に戻る。電源ＯＦＦ操作がなされたと判断された場合（Ｓ１２：ＹＥＳ）、メインの処理は終了する。
【０１２１】
なお、第５実施形態において、図２６のＳ８６１〜Ｓ８６８、図１５のＳ９の処理を行うＣＰＵ２０が、撮影判断手段に相当する。
【０１２２】
以上説明したように、第５実施形態の撮影履歴記録システムでは、撮影動作が手動であったことを示す項目を有する撮影情報、もしくは画像データが利用されたことを示す項目を有する撮影情報が抽出され、その抽出情報の中に現在のユーザ情報の全ての項目値に対し、対応する全ての項目値が一致する抽出情報がある場合には、自動撮影がなされる。撮影動作が手動であるとき、その撮影動作はユーザが能動的に行ったものであり、その状況でのユーザの撮影に対する欲求は高かったといえる。また、画像データが利用されたものであるとき、その画像データが作成された状況は、ユーザにとって興味深い状況であったといえる。これにより、ユーザの撮影に対する欲求が生じる状況で自動撮影を行うことができる。
【０１２３】
なお、本発明は、上述した実施形態に限定されるものではなく、本発明の要旨を逸脱しない範囲において、種々の変更が可能である。例えば、天候情報は、照度センサ１９から得られたセンサ値を元に取得するものに限定されない。ウェブサーバ（図示省略）から、インターネットなどを通じて送信される天候情報を受信して、ユーザ情報２１０の「天候」の項目値としてもよい。
【０１２４】
また、第１実施形態の撮影判断処理では、図１６に示すＳ８０３で、図４に示す撮影履歴情報データベース３００の中に、図８に示すユーザ情報２１０と同一の項目値を備える撮影情報が存在する場合に（Ｓ８０３：ＹＥＳ）、その撮影情報の項目値を比較情報２２０の項目値として設定した（Ｓ８１４）。しかし、ユーザ情報２１０と同一の項目値を備える撮影情報が存在する場合に（Ｓ８０３：ＹＥＳ）、比較情報２２０を作成することなく、撮影フラグをＯＮとする（Ｓ８１３）構成としてもよい。
【０１２５】
また、第１実施形態の撮影判断処理では、図１０に示す抽出情報記憶エリア２２４を参照して、最も頻出した値を比較情報２２０の項目値とした（Ｓ８０４）。しかし、抽出情報２３０を作成することなく、図４に示す撮影履歴情報データベース３００を参照して、最も頻出した値を比較情報２２０の項目値としてもよい。
【０１２６】
また、第３実施形態、第５実施形態では、画像データが印刷装置６０に送信された場合に、その画像データを備える撮影情報の「利用状況」の項目値を「済」としたが、これに限定されない。例えば、画像データが、送受信回路２６により、他の撮影記録装置２に送信された場合や、公知のブログ公開機能や、コメント掲載機能等を有するブログサイトサーバ（図示省略）に送信された場合に、「利用状況」の項目値を「済」としてもよい。
【図面の簡単な説明】
【０１２７】
【図１】撮影履歴記録システムの構成を示す概念図である。
【図２】センサ装置１の電気的構成を示すブロック図である。
【図３】撮影記録装置２の電気的構成を示すブロック図である。
【図４】撮影履歴情報データベース３００の概念図である。
【図５】太陽高度データベース２５０の概念図である。
【図６】ＲＡＭ２２の記憶領域を示す概念図である。
【図７】センサ情報１１０の概念図である。
【図８】ユーザ情報２１０の概念図である。
【図９】比較情報２２０の概念図である。
【図１０】抽出情報２３０の概念図である。
【図１１】抽出情報２３０の概念図である。
【図１２】抽出情報２３０の概念図である。
【図１３】抽出情報２３０の概念図である。
【図１４】センサ装置１による情報取得処理のフローチャートである。
【図１５】撮影記録装置２による撮影処理のメインのフローチャートである。
【図１６】撮影判断処理を示すフローチャートである。
【図１７】比較情報２２０の概念図である。
【図１８】第２実施形態における撮影判断処理を示すフローチャートである。
【図１９】第３実施形態における撮影履歴情報データベース３１０の概念図である。
【図２０】第３実施形態における画像出力処理を示すフローチャートである。
【図２１】第３実施形態における撮影判断処理を示すフローチャートである。
【図２２】抽出情報２３０の概念図である。
【図２３】抽出情報２３０の概念図である。
【図２４】第４実施形態における撮影判断処理を示すフローチャートである。
【図２５】撮影履歴情報データベース３２０の概念図である。
【図２６】第５実施形態における撮影判断処理を示すフローチャートである。
【符号の説明】
【０１２８】
１    センサ装置
２    撮影記録装置
１０    ＣＰＵ
１８    心拍センサ
１９    照度センサ
２０    ＣＰＵ
２２    ＲＡＭ
２６    送受信回路
２７    位置情報検出装置
２９    操作部
１１０    センサ情報
２０１    カメラ
２１０    ユーザ情報
２２０    比較情報
２２１    ユーザ情報記憶エリア
２２２    比較情報記憶エリア
２２３    抽出情報記憶エリア
２２４    撮影フラグ記憶エリア
２３０    抽出情報
３００    撮影履歴情報データベース
３１０    撮影履歴情報データベース
３２０    撮影履歴情報データベース
【図１】
2010068499.tif 000003
【図２】
2010068499.tif 000004
【図３】
2010068499.tif 000005
【図４】
2010068499.tif 000006
【図５】
2010068499.tif 000007
【図６】
2010068499.tif 000008
【図７】
2010068499.tif 000009
【図８】
2010068499.tif 000010
【図９】
2010068499.tif 000011
【図１０】
2010068499.tif 000012
【図１１】
2010068499.tif 000013
【図１２】
2010068499.tif 000014
【図１３】
2010068499.tif 000015
【図１４】
2010068499.tif 000016
【図１５】
2010068499.tif 000017
【図１６】
2010068499.tif 000018
【図１７】
2010068499.tif 000019
【図１８】
2010068499.tif 000020
【図１９】
2010068499.tif 000021
【図２０】
2010068499.tif 000022
【図２１】
2010068499.tif 000023
【図２２】
2010068499.tif 000024
【図２３】
2010068499.tif 000025
【図２４】
2010068499.tif 000026
【図２５】
2010068499.tif 000027
【図２６】
2010068499.tif 000028